(57)【要約】【課題】履き物の無理のない装着と安全な歩行と走行、健康の増進、運動時の力の継続と速度の継続を実現する。【解決手段】  履き物底部及び靴底を起点し縦締め式靴紐を装着し紐を親指と中指の間を通し甲部にて締め付けを調整し足の裏及び指先の感覚が地面、雪面等の環境を正確に把握でき、さらに、靴底と足ズレをを最小限に抑え歩行、走行動作を円滑にする、スポーツその他運動においては、動作の基点となる拇指球の感覚がより明確となり、動作が正確となり、より高い速度、より大きな力を発揮できる。【選択図】図１
0003146286.tif 000002
【実用新案登録請求の範囲】
【請求項１】
履き物底部又は靴底より親指と人差し指の間を通り、縦方向に調整する紐を甲部にて調整し履き物底部と足の遊びと違和感を解消し歩行及び走行時の安定と力を集中させ足の運びを円滑にする。
【請求項２】
履き物甲部より親指と人差し指の間を通り、縦方向に調整する紐を履き物底部又は靴底にて調整する。
【請求項３】
縦締め式靴紐の使用により足裏感覚が明確となり、正確な歩行、走行による足裏の刺激は自律神経の正常な情報を脳に伝えスポーツにて集中力を発揮し技能労働においては安定した仕事と安全に貢献する。
【考案の詳細な説明】
【技術分野】
【０００１】  本考案は履き物と足の遊びと違和感を解消し、歩行及び走行時の足の運びを円滑にする補助機具である。
【背景技術】
【０００２】紐等による横方向よりの締め付けにより装着と安定を保った。
【考案が解決しようとする課題】
【０００３】安全な歩行と走行の促進。
【０００４】正しい歩行と走行にる身体の活性と健康の増進。
【０００５】正しい歩行と走行により靴を原因とする身体障害の発生を減少させる。
【０００６】走行時の速度を継続させスポーツに貢献する。
【０００７】運動時の力を集中させスポーツと技能労働に貢献する。
【０００８】拇指球を中心とする足裏からの正確な上行性神経により歩行、走行に不安を持つ人々の身体能力と心に貢献する。
【課題を解決する為の手段】
【０００９】上記の目的を達成するために、本考案縦締め式靴紐は、足と靴との空間を従来の横からの締め付けによる調整に対し、縦方向の調整を可能とし履き物の適正な空間を保つ事により安全な歩行と走行を実現する。
【００１０】縦締め式靴紐により拇指球を中心とする足裏感覚が明確となり、踵より着地、足裏外側を経由して拇指球から親指に至る歩行を完了すると言う理想に最も近い体重移動が円滑に行われ、正しい歩行、走行にり血液循環を促進させ身体の活性と健康の増進に貢献する。
【００１１】縦締め式靴紐により拇指球を中心とする足裏と靴底のズレを最小限に抑え、外反母趾、擦過傷の障害を未然に防げる。
【００１２】走行時の速度を継続させる、縦締め式靴紐の締め付けを強くする事により、靴底と足が密着し、走行の為の力を逃がさず地面に伝え、高速を継続できる。
【００１３】運動時の力を継続させる、縦締め式靴紐の締め付けを強くする事により、靴底と足が密着し、スポーツ、技能労働の足裏感覚が正確に吸収でき力を逃さず運動及び仕事に伝える。
【００１４】拇指球を中心とする足裏からの正確情報は上行性神経により脳に至る、脳はこの環境において最適な歩行又は走行技術を大脳新皮質運動野、小脳より選択し指令をだす、歩行、走行に不安を持つ人々に歩く楽しさ、走れる喜びを感じていただける。
【考案の実施形態】
【００１５】履き物底部及び靴底を起点とする縦締め式靴紐を親指と人差し指の間を通し甲部方向にて止める、又は履き物甲部を起点とする縦締め式靴紐を親指と人差し指の間を通し履き物底部及び靴底にて止める。
【００１６】起点より伸びる縦締め式靴紐を親指と人差し指の間を通し甲部にて、締め付けの強弱を調整し運動の形態に適応させる、又は起点より伸びる縦締め式靴紐を親指と人差し指の間を通し履き物底部及び靴底にて調整し運動の形態に適応させる。
【考案の効果】
【００１７】本考案は、次に記載する効果を実現する。
本考案、縦締め式靴紐は、足と靴との空間を従来の横からの締め付けによる調整に対し、縦方向の調整を可能とし適正な厚みと空間を保つ事により安全な歩行と走行を実現する。
【００１８】縦締め式靴紐により拇指球を中心とする足裏と靴底のズレを最小限に抑え、外反母趾、擦過傷の障害を未然に防げる。
【００１９】走行時の速度を継続させる、縦締め式靴紐の締め付けを強くする事により、靴底と足が密着し、走行の為の力を逃がさず速度を継続できる。
【００２０】運動時の力を継続させる、縦締め式靴紐の締め付けを強くする事により、靴底と足が密着し、瞬発的スポーツの力を逃さず運動を継続できる。
【００２１】疲労及び筋肉痛の軽減、縦締め式靴紐により拇指球を中心とする足裏と靴底のズレを最小限に抑える事により、不安定感からくる、脚部、腰部、脊柱起立筋の緊張を抑え、筋肉疲労及び筋肉痛を軽減する。
【図面の簡単な説明】
【００２２】
【図１】図１は縦締め式靴紐を装着した靴の断面図である、靴底を起点とする縦締め式靴紐が甲部に至り機能に合わせた靴内部の空間調整が自由に出来る。
【図２】図２は縦締め式靴紐を装着した靴の断面図である、甲部を起点とする縦締め式靴紐が靴底に至り機能に合わせた靴内部の空間調整が自由に出来る。
【図３】図３は縦締め式靴紐を装着した靴の表面である、空間調整を終えたら、紐を結ぶ又はコードロック等の器具を用いて安定を保つ。
【図４】図４は縦締め式靴紐を装着した靴の裏面である、空間調整を終えたら、紐を結ぶ又は器具を用いて安定を保つ。
【図１】
0003146286.tif 000003
【図２】
0003146286.tif 000004
【図３】
0003146286.tif 000005
【図４】
0003146286.tif 000006
【手続補正書】
【提出日】平成19年7月17日(2007.7.17)
【手続補正１】
【補正対象書類名】実用新案登録請求の範囲
【補正対象項目名】全文
【補正方法】変更
【補正の内容】
【実用新案登録請求の範囲】
【請求項１】
縦締め式靴紐は、靴底又はスポーツシューズのソールを基点とする紐を足の親指と人差し指の間を通し縦方向に調整する紐を靴、シューズの表面、甲部にて締める事により縦締め式靴紐をセットする。
【請求項２】
靴、スポーツシューズの表面、甲部を基点とする紐を親指と人差し指の間を通し靴底にて調整し縦締め式靴紐をセットする。
【請求項３】
縦締め式靴紐は、靴底又はスポーツシューズのソールを基点とする二本の紐を足の親指と人差し指の間を通り縦方向に調整する紐を靴、シューズの表面、甲部にて結束又はコードロックを使い縦締め式靴紐をセットする。
【手続補正２】
【補正対象書類名】図面
【補正対象項目名】全図
【補正方法】変更
【補正の内容】
【図１】
0003146286.tif 000007
【図２】
0003146286.tif 000008
【図３】
0003146286.tif 000009
【図４】
0003146286.tif 000010
【手続補正書】
【提出日】平成19年9月14日(2007.9.14)
【手続補正１】
【補正対象書類名】実用新案登録請求の範囲
【補正対象項目名】全文
【補正方法】変更
【補正の内容】
【実用新案登録請求の範囲】
【請求項１】
靴底又はスポーツシューズのソールに結束、接着により結合した紐を基点とし、紐を足の親指と人差し指の間を通し、靴、シューズの表面、甲部に至らせ靴底又はスポーツシューズの表面より紐の先端を縦方向に引く事により前後左右に、ずれない靴、スポーツシューズの内部空間調整をする縦締め式靴紐。
【請求項２】
靴、スポーツシューズの表面、甲部を基点とする紐を足の親指と人差し指の間を通し靴底にて紐の先端を結束しスポーツシューズの内部空間を調整する縦締め式靴。
【請求項３】
靴底又はスポーツシューズのソールを基点とする紐を足の親指と人差し指の間を通し、靴、シューズの表面に至った紐を甲部にて結束又はコードロックを使いシューズ内部の締め付けを縦方向の調整にて行う縦締め式靴紐。
【手続補正書】
【提出日】平成19年12月18日(2007.12.18)
【手続補正１】
【補正対象書類名】実用新案登録請求の範囲
【補正対象項目名】全文
【補正方法】変更
【補正の内容】
【実用新案登録請求の範囲】
【請求項１】
靴底又はスポーツシューズのソールに結束、接着により結合した紐を足の親指と人差し指の間を通し、靴、シューズの表面、甲部に至らせ、紐の先端を縦方向に引く事により縦締め式靴紐に張力が生じ運動の基点となる拇指球を中心に前後左右にずれない靴、スポーツシューズの内部空間を調整し運動エネルギーをダイレクトに靴底に伝える縦締め式靴紐。
【請求項２】
靴及びスポーツシューズの甲部表面を基点とする紐を足の親指と人差し指の開を通し靴底にて紐の先端を結束する事により生じる張力によりスポーツシューズと運動を安定させる縦締め式靴紐。
【請求項３】
靴底又はスポーツシューズのソールを基点とする紐を足の親指と人差し指の間を通し、靴、シューズの表面に至った紐を甲部にて結束又はコードロックを使いシューズ内部の締め付けを縦方向の調整にて行う縦締め式靴紐。
【手続補正書】
【提出日】平成20年3月27日(2008.3.27)
【手続補正１】
【補正対象書類名】実用新案登録請求の範囲
【補正対象項目名】全文
【補正方法】変更
【補正の内容】
【実用新案登録請求の範囲】
【請求項１】
靴底又はスポーツシューズのソールを基点とし親指と人差し指の間を通り靴、シューズの表面、甲部に至り靴底と甲を紐で繋ぐ縦締め式靴紐、縦締め式靴紐は紐を縦方向に引く事による張力により運動の基点となる拇指球を中心に靴底が前後左右にずれない機能を靴、スポーツシューズに与える。
【請求項２】
靴及びスポーツシューズの甲部表面を基点とし紐を足の親指と人差し指の間を通し靴底に至り甲と靴底を紐で繋ぐ縦締め式靴紐、紐の先端を結束する事により生じる張力により靴底と足を縦方向に絞め運動を安定させる縦締め式靴紐。
【請求項３】
靴底又はスポーツシューズのソールを基点とする紐を足の親指と人差し指の間に紐を通し、靴、シューズの表面に至り靴底と甲を紐で繋ぐ縦締め式靴紐、紐を甲部にて結束又はコードロックを使いシューズ内部の締め付けを縦方向の調整により靴底がずれない機能を靴、スポーツシューズに与える縦締め式靴紐。
【手続補正書】
【提出日】平成20年6月12日(2008.6.12)
【手続補正１】
【補正対象書類名】実用新案登録請求の範囲
【補正対象項目名】全文
【補正方法】変更
【補正の内容】
【実用新案登録請求の範囲】
【請求項１】
靴底又はスポーツシューズのソールに結合された紐を親指と人差し指の間を通し靴、シューズの表面、甲部にて締め付けの強度を調整する縦締め式靴紐、縦締め式靴紐は紐を縦方向に引く事による張力により運動の基点となる拇指球を中心に靴底が前後左右にずれない機能を靴、スポーツシューズに与える。
【請求項２】
靴及びスポーツシューズの甲部に結合された紐を足の親指と人差し指の間を通し靴底に至り甲と靴底を紐で繋ぐ縦締め式靴紐、紐の先端を結束する事により生じる張力により靴底と甲部がずれない機能を靴、スポーツシューズに与える。
【請求項３】
靴底又はスポーツシューズのソール結合された紐を足の親指と人差し指の間に紐を通し、靴、シューズの表面に至り靴底と甲を紐で繋ぐ縦締め式靴紐、紐を甲部にて結束又はコードロックを使いシューズ内部の締め付けを縦方向の調整により靴底がずれない機能を靴、スポーツシューズに与える縦締め式靴紐。
【手続補正書】
【提出日】平成20年8月20日(2008.8.20)
【手続補正１】
【補正対象書類名】実用新案登録請求の範囲
【補正対象項目名】全文
【補正方法】変更
【補正の内容】
【実用新案登録請求の範囲】
【請求項１】
靴底又はスポーツシューズのソールに結合された紐を親指と人差し指の間を通し靴、シューズの表面、甲部にて締め付けの強度を調整する縦締め式靴紐、縦締め式靴紐は紐を縦方向に引く事による張力により運動の基点となる拇指球を中心に靴底が前後左右にずれない機能を靴、スポーツシューズに与える、ソールに直接結合された靴又はスポーツシューズと縦締め式靴紐の組み合わせ。
【請求項２】
靴又はスポーツシューズの甲部に結合された紐を足の親指と人差し指の間を通し靴底に至り甲と靴底を紐で繋ぐ縦締め式靴紐、紐の先端を結束する事により生じる張力により靴底と甲部がずれない機能を靴、スポーツシューズに与える、甲部に直接結合された靴又はスポーツシューズと縦締め式靴紐の組み合わせ。
【請求項３】
靴底又はスポーツシューズのソールに結合された紐を足の親指と人差し指の間を通し靴、シューズの表面に至り靴底と甲を紐で繋ぐ縦締め式靴紐、紐を甲部にて結束又はコードロックを使いシューズ内部の締め付けを縦方向の調整により靴底がずれない機能を靴、スポーツシューズに与える靴又はスポーツシューズと縦締め式靴紐の組み合わせ。